(57)【要約】【課題】耕耘作業時には水平に近い姿勢を保ちながら加圧手段によって耕耘した土を所定の押圧力で掻き均すと共に、耕耘開始時および終了時には耕耘爪によって耕耘した土の後方への飛散を阻止する整地体を提供する。【解決手段】整地体１７の前部をリヤカバー１１の下端部に回動自在に枢支すると共に、整地体１７の後部を加圧手段２６によって下方に付勢して、整地体１７が非接地状態ではリヤカバー１１の下端に整地体１７が連続して耕耘した土の後方への飛散を阻止し、また、接地状態では整地体１７の後部が上下動しながら加圧手段２６の押圧力で耕耘した土を掻き均すように構成する。【選択図】  図４
2011067117.tif 000002
【特許請求の範囲】
【請求項１】
耕耘爪の上方を覆うメインカバーと、耕耘爪の後方を覆うリヤカバーと、リヤカバーの下端部に整地体を設けるロータリ耕耘装置にあって、整地体の前部をリヤカバーの下端部に回動自在に枢支すると共に、整地体の後部を加圧手段によって下方に付勢して、当該整地体が非接地状態ではリヤカバーの下端に整地体が連続して耕耘した土の後方への飛散を阻止し、また、接地状態では整地体の後部が上下動しながら加圧手段の押圧力で耕耘した土を掻き均すように構成してあることを特徴とするロータリ耕耘装置。
【請求項２】
前記加圧手段の加圧開始点を変更自在として、整地体の掻き均し姿勢を耕深の深・浅に拘らず略一定となるように構成してあることを特徴とする請求項１に記載のロータリ耕耘装置。
【発明の詳細な説明】
【技術分野】
【０００１】
本発明は、圃場の耕耘を行うロータリ耕耘装置に関するものである。
【背景技術】
【０００２】
従来、耕耘爪の上方を覆うメインカバーと、耕耘爪の後方を覆うリヤカバーと、リヤカバーの下端部に整地体を設けるロータリ耕耘装置が知られている。また、リヤカバーの下端部に設ける整地体を、水平に近い姿勢を保ちながら付勢手段によって耕耘した土を所定の押圧力で整地するものが提案されている（例えば、特許文献１又は特許文献２参照）。
【先行技術文献】
【特許文献】
【０００３】
【特許文献１】特開２００７−１５１４０４号公報
【特許文献２】特開平１１−１０３６０５号公報
【発明の概要】
【発明が解決しようとする課題】
【０００４】
しかし、これら特許文献１、２に記載されたロータリ耕耘装置は、その整地体を水平に近い姿勢に保たせるために大掛かりなリンク機構を設ける必要があって製造コストがアップする他、耕耘開始時および終了時に耕耘爪によって耕耘した土がリヤカバーの下端から後方にそのまま飛散してしまい、耕耘開始時には盛り土を作り、また、耕耘終了時には窪みを作ることとなって、その後の整地作業を余議なくされるという問題がある。
そこで、本発明は、係る問題点に鑑みて、整地体を耕耘作業時には水平に近い姿勢を保ちながら加圧手段によって耕耘した土を所定の押圧力で掻き均すものとしながら、耕耘開始時および終了時には耕耘爪によって耕耘した土の後方への飛散を極力阻止することができるロータリ耕耘装置を提供することを目的とする。
【課題を解決するための手段】
【０００５】
上記課題を解決するための本発明の技術的手段は、耕耘爪の上方を覆うメインカバーと、耕耘爪の後方を覆うリヤカバーと、リヤカバーの下端部に整地体を設けるロータリ耕耘装置にあって、整地体の前部をリヤカバーの下端部に回動自在に枢支すると共に、整地体の後部を加圧手段によって下方に付勢して、当該整地体が非接地状態ではリヤカバーの下端に整地体が連続して耕耘した土の後方への飛散を阻止し、また、接地状態では整地体の後部が上下動しながら加圧手段の押圧力で耕耘した土を掻き均すように構成してあることを特徴とする。
また、前記加圧手段の加圧開始点を変更自在として、整地体の掻き均し姿勢を耕深の深・浅に拘らず略一定となるように構成してあることを特徴とする。
【発明の効果】
【０００６】
本発明のロータリ耕耘装置によれば、整地体を耕耘作業時には水平に近い姿勢として整地体の広い接地面により土を鎮圧しながら均平にすることができる他、整地体に付与した加圧手段の押圧力で細かな土塊を掻き均すことができ、しかも、整地体の支持機構として大掛かりなリンク機構を必要としないため安価にロータリ耕耘装置を提供することができる。
また、耕耘開始時および終了時に整地体が非接地状態になると、整地体の後部が自重で下降してリヤカバーの下端に整地体が連続する状態となり、耕耘した土の後方への飛散を阻止することができるため、その後の整地作業を不要にして、作業能率を向上させることができる。
さらに、加圧手段の加圧開始点を変更自在として、整地体の掻き均し姿勢を耕深の深・浅によって変更可能に構成することによって、耕耘作業への適応性を向上させることができる。
【図面の簡単な説明】
【０００７】
【図１】耕耘開始時におけるロータリ耕耘装置の側面図である。
【図２】深耕作業時におけるロータリ耕耘装置の側面図である。
【図３】浅耕作業時におけるロータリ耕耘装置の側面図である。
【図４】リヤカバーに整地体を取り付けた状態の側面図である。
【図５】リヤカバーに整地体を取り付けた状態の一部平面図である。
【図６】深耕作業時における整地体の姿勢を示す側面図である。
【図７】浅耕作業時における整地体の姿勢を示す側面図である。
【発明を実施するための形態】
【０００８】
以下、本発明の実施の形態を図面に基づいて説明する。
図１乃至図３において、ロータリ耕耘装置１は、トラクタ２の後部にトップリンク３と左右のロアリンク４，４とによって構成される三点リンク機構を介して連結されたオートヒッチ５に着脱自在に連結される。そして、トラクタ２に設けた左右のリフトアーム６がリフトシリンダによって回動することによってロータリ耕耘装置１は、三点リンク機構を介して昇降自在となっている。
【０００９】
ロータリ耕耘装置１は、図示しないギヤケースとギヤケースから左右方向に突設されたパイプフレームにより機枠が構成され、ギヤケースの上部にはトップマスト７が上方に向かって突設されている。また、トップマスト７にはトップピンが設けてあり、このトップピンがオートヒッチ５のトップフック５ａに係合する一方、パイプフレームの中途部にブラケットを介して設けたロアピンがオートヒッチ５のロアフック５ｂに係合して、ロータリ耕耘装置１がオートヒッチ５に着脱自在に連結される。
【００１０】
左側のパイプフレームの端部にはチェーンケース８が連結されていると共に、右側のパイプフレームの端部にはサイドプレートが下方に向かって延設されている。チェーンケース８の下端部とサイドプレートの下端部との間には耕耘筒９が回転自在に軸支され、該耕耘筒９には多数の耕耘爪９ａが装着されている。そして、トラクタ２の図示しないＰＴＯ軸からユニバーサルジョイントを介して伝達された動力はギヤケース内に伝動され、左側のパイプフレーム内に軸支した伝動軸及びチェーンケース８内のチェーンを介して耕耘筒９が回転駆動される。
【００１１】
耕耘爪９ａは、その回転軌跡に沿う円弧状のメインカバー１０によって上方が覆われ、このメインカバー１０は機枠に固定、又は耕耘筒９回りに前後回動調節可能に固定される。上記メインカバー１０の後端にはリヤカバー１１の前端が支点軸Ａを介して回動自在に連結してあり、リヤカバー１１は耕耘爪９ａの後方を覆うものとなっている。また、メインカバー１０とリヤカバー１１との間には吊りロッド１２が介装されていて、吊りロッド１２はリヤカバー１１の下降側の限界を設定し、リヤカバー１１の耕耘爪９ａとの接当を阻止する。なお、１３は尾輪や畦立機等を取り付けるツールバーであって、ツールバー１３を取り付ける支持アーム１４とトップマスト７の後側の上端部とが伸縮ロッド１５を介して連結され、伸縮ロッド１５の前端部に設けた調整ハンドル１６を回転させることによってツールバー１３はその高さが調整される。
【００１２】
次に、リヤカバー１１の下端部に取り付ける整地体１７について説明する。図４及び図５に示すようにリヤカバー１１の整地面となる下面と反対側の上面には前後方向の補強フレーム１１ａ，１１ａがそれぞれ左右両端部に溶接されており、この補強フレーム１１ａ，１１ａには整地体１７を取り付けるための上下２本のピン１１ｂ，１１ｂが横設されている。この上下２本のピン１１ｂ，１１ｂには、整地体１７をリヤカバー１１に取り付けるブラケット１８の凹部１８ａ，１８ａが下方側から係合するとともに、ブラケット１８から突設した支点軸Pに軸支したロックプレート１９のフック部１９ａが上側のピン１８ａに上方側から係合することによって、ブラケット１８、乃至は整地体１７がリヤカバー１１に取り付けられる。なお、ロックプレート１９の把持部１９ｂを握って時計回りにロックプレート１９を回動させると、フック部１９ａが上側のピン１１ｂとの係合を解除してブラケット１８、乃至は整地体１７をリヤカバー１１から取り外すことができる。
【００１３】
一方、整地体１７は、上下の板体２０ａ，２０ｂと側板２０ｃとを一体に溶接して、その断面が略矩形状を呈する中空の本体２０を備え、この長尺な本体２０の左右側端側の上面２０ａには前側プレート２０ｄと後側プレート２０ｅがそれぞれ溶接されている。そして、この前側プレート２０ｄの上部に穿設した孔２０ｆには支点ピン２１が嵌挿され、前記ブラケット１８の下部に穿設した孔に支点ピン２１を嵌挿して抜け止めすることによって、整地体１７の本体２０はその前部をブラケット１８に回動自在に軸支されることになる。また、上記支点ピン２１には整地体１７の加圧手段としての２枚のリンクプレート２２，２２の前部が回動自在に装着してあり、この左右のリンクプレート２２，２２の後部に穿設した孔２２ａにはホルダ２３の軸部２３ａが嵌挿されている。そして、ホルダ２３の中央部には孔２３ｂが穿設されていて、この孔２３ｂに加圧ロッド２４の上部が摺動自在に嵌挿してある。
【００１４】
加圧ロッド２４の下部は前述した整地体１７の後側プレート２０ｅにピン２５を介して固定されると共に、加圧ロッド２４の外周には圧縮スプリング２６が装着されている。この圧縮スプリング２６は下端が後側プレート２０ｅのピン２５に接当し、整地体１７の本体２０が前部の支点ピン２１を中心として後部が所定量だけ持ち上げられると圧縮スプリング２６の上端がホルダ２３の下面に接当し、以後、リンクプレート２２の後部を持ち上げる。なお、２４ａは加圧ロッド２４の上部に設けた抜け止め用の鍔である。
【００１５】
次に、加圧手段の加圧開始点を変更するストッパについて説明する。左右のリンクプレート２２，２２のそれぞれ中央部の上下２箇所には、ストッパピン２７を嵌挿する深耕孔２２ｂと浅耕孔２２ｃが穿設してある。そして、深耕孔２２ｂ又は浅耕孔２２ｃにストッパピン２７を嵌挿して抜け止めすると、図６又は図７に示すように整地体１７の本体２０が前部の支点ピン２１を中心として後部が持ち上げられ、また、その結果、圧縮スプリング２６を介してリンクプレート２２の後部が持ち上げられると、ストッパピン２７はブラケット１８の下縁に接当し、それ以上のリンクプレート２２の回動が阻止される。このリンクプレート２２の回動が阻止された状態で、さらに整地体本体２０の後部が土圧によって持ち上げられようとすると、圧縮スプリング２６が圧縮されて整地体本体２０に加圧力が作用することになる。また、前述のストッパピン２７を深耕孔２２ｂ又は浅耕孔２２ｃに嵌挿し変えることによって、整地体本体２０の姿勢はリヤカバー１１に対して異なる角度に変更される。
【００１６】
以上説明した本発明の実施形態におけるロータリ耕耘装置１の作用について説明する。先ず、図１に示すように耕耘作業を開始すべくロータリ耕耘装置１を下降させると、耕耘爪９ａが耕耘を開始して耕耘した土Ｓを後方に向けて放擲する。この場合、リヤカバー１１は未だ接地していないため吊りロッド１２によって吊持されて、下降側の限界位置に回動している。一方、整地体１７の本体２０は自重によって後部が下方に位置するように回動する。しかし、リヤカバー１１の下縁に前側プレート２０ｄの前縁が接当すると、それ以上の前方側への回動が規制されて、図示した起立姿勢（閉鎖姿勢）に保持される。
【００１７】
この際、整地体１７はリヤカバー１１の下端にその整地面が連続することになって、耕耘した土Ｓの後方への飛散を阻止し、リヤカバー１１の後方に盛り土Ｍを作ることが防止される。そして、更にロータリ耕耘装置１が下降して整地体本体２０の後部が接地すると、土圧によって本体２０の後部は上方側に回動して、本来の整地姿勢に次第に移行する。また、一行程の耕耘作業が終了してロータリ耕耘装置１を上昇させると、整地体１７は上記とは逆に整地姿勢から閉鎖姿勢に移行する。このため耕耘爪９ａの上昇によって作られた窪みＫに整地体１７が集めた土が埋め戻されることとなって、その後の整地作業が不要となる。
【００１８】
また、図２に示す深耕を行う場合には、予め図６に示すようにストッパピン２７を深耕孔２２ｂに差し替えて耕耘作業を行う。この場合、整地体１７の本体２０が土圧を受けて後部が上方に回動するとストッパピン２７がブラケット１８の下縁に接当し、以後、圧縮スプリング２６に基づいて耕耘した土を加圧しながら掻き均す整地体１７の本来の整地姿勢となる。そして、深耕の場合には浅耕の場合より所定角度Ｄだけ早めにストッパピン２７がブラケット１８の下縁に接当する。このため、深耕によってリヤカバー１１の下端がより持ち上げられた横臥姿勢となっても、整地体１７の本体２０の整地姿勢（掻き均し姿勢）は、前部側が若干、浮き上がった水平姿勢に維持されて、耕耘爪９ａから放擲された細かな土塊であってもこれを飛散させることなく、押し潰しながら耕耘面を均平に仕上げることができる。
【００１９】
同様に、図３に示す浅耕を行う場合には、予め図７に示すようにストッパピン２７を浅耕孔２２ｃに差し替えて耕耘作業を行う。そして、浅耕の場合には深耕の場合より所定角度Ｄだけ遅くストッパピン２７がブラケット１８の下縁に接当する。このため、浅耕によってリヤカバー１１の下端が下がった起立姿勢となっても、整地体１７の本体２０の整地姿勢（掻き均し姿勢）は、前部側が若干、浮き上がった水平姿勢に維持されて、耕耘爪９ａから放擲された土を整地体本体２０の広い整地面によって鎮圧しながら、耕耘面を均平に仕上げることができる。
【００２０】
さらに、本発明のロータリ耕耘装置１は、リンクプレート２２に設けたストッパピン２７がブラケット１８の下縁と接当すると整地体１７が整地姿勢となり、下縁との接当が解放されると整地体１７が自由回動状態となって閉鎖姿勢になすことができ、両姿勢の切り替えを自動的に行うことができる。また、整地体１７の加圧手段２２，２３，２４，２６，２７は、リヤカバー１１に着脱自在な整地体１７自体に備えるものであるため、機枠等に大掛かりなリンク機構を設ける必要がなく、本発明の機能を備えるロータリ耕耘装置１を至って安価に製造することができる。さらに、深耕を行う場合、又は浅耕を行う場合における整地体１７に作用する加圧力は、リンクプレート２２と整地体本体２０との間に介装した圧縮スプリング２６によって全く変化しないため、加圧力の調整を深耕又は浅耕によって調整する必要が格別なく、この点でも本発明のロータリ耕耘装置１は、優位性を発揮するものとなっている。
【符号の説明】
【００２１】
９ａ  耕耘爪
１０  メインカバー
１１  リヤカバー
１７  整地体
１８  ブラケット
２２  リンクプレート
２６  圧縮スプリング
２７  ストッパピン
【図１】
2011067117.tif 000003
【図２】
2011067117.tif 000004
【図３】
2011067117.tif 000005
【図４】
2011067117.tif 000006
【図５】
2011067117.tif 000007
【図６】
2011067117.tif 000008
【図７】
2011067117.tif 000009